(57)【要約】  基部が支持体に固定された塗布部材であって、この基部が、支持体の長手方向軸に沿って延びる、塗布部材と、基部に連結されたアプリケータ部品とを備える化粧品アプリケータであって、このアプリケータは、塗布部材に、塗布部材と少なくとも部分的に接触するように付随した拘束要素（３０）を備え、拘束要素（３０）は、アプリケータ部品が支持体の軸に対して少なくとも部分的に斜めに延びるような方法で、塗布部材を拘束する。
2018501009.tif 000002
【特許請求の範囲】
【請求項１】
支持体に固定された基部（２１）を有する塗布部材（２０）であって、前記基部が、前記支持体の長手方向軸に沿って延びる、塗布部材（２０）と、
前記基部に連結されたアプリケータ部品（２２）と、
を備える化粧品アプリケータであって、
前記化粧品アプリケータが、前記塗布部材と少なくとも部分的に接触するように前記塗布部材に嵌合された拘束要素（３０）を備え、前記拘束要素（３０）は、前記アプリケータ部品（２２）が前記支持体の前記長手方向軸に対して少なくとも部分的に斜めに延びるような方法で、前記塗布部材を拘束する、化粧品アプリケータ。
【請求項２】
前記拘束要素（３０）が、前記塗布部材だけによって担持される、請求項１に記載の化粧品アプリケータ。
【請求項３】
前記拘束要素（３０）が、前記塗布部材の前記支持体（１１）に少なくとも部分的に固定される、請求項１に記載の化粧品アプリケータ。
【請求項４】
前記塗布部材（２０）が、フェルト先端部である、請求項１から３のいずれか一項に記載の化粧品アプリケータ。
【請求項５】
前記塗布部材（２０）は、前記拘束要素が嵌合される前に、直線状の長手方向軸を有する、請求項１から４のいずれか一項に記載の化粧品アプリケータ。
【請求項６】
前記塗布部材（２０）は、前記拘束要素が嵌合される前に、回転対称性を伴わない形状を有する、請求項１から５のいずれか一項に記載の化粧品アプリケータ。
【請求項７】
前記塗布部材（２０）は、前記拘束要素が嵌合される前に、回転対称性を伴う形状を有する、請求項１から５のいずれか一項に記載の化粧品アプリケータ。
【請求項８】
前記拘束要素（３０）が、前記塗布部材に対して固定される、請求項１から７のいずれか一項に記載の化粧品アプリケータ。
【請求項９】
前記拘束要素（３０）が、前記塗布部材に対して移動できる、請求項１から６のいずれか一項に記載の化粧品アプリケータ。
【請求項１０】
前記塗布部材に対する前記拘束要素（３０）の前記移動は、前記拘束要素が前記化粧品アプリケータの一部を形成し、前記アプリケータ部品に２つの相異なるそれぞれの配向を付与する、少なくとも２つの位置間で行われる、請求項８に記載の化粧品アプリケータ。
【請求項１１】
前記拘束要素が、管状嵌合部品（３１）と、前記管状嵌合部品の軸に向かって延びる軸受要素（３４）と、を備える、請求項１から９のいずれか一項に記載の化粧品アプリケータ。
【請求項１２】
前記拘束要素（３０）が、熱可塑性材料から一体成形される、請求項１から１０のいずれか一項に記載の化粧品アプリケータ。
【請求項１３】
前記アプリケータ部品（２２）の軸（Ｙ）が、前記支持体（１１）の前記軸（Ｘ）に対して１０°から２０°の間の角度αを成す、請求項１から１１のいずれか一項に記載の化粧品アプリケータ。
【請求項１４】
前記拘束要素（３０）が、リザーバを形成する管状本体と一体で作製される、請求項１から１３のいずれか一項に記載の化粧品アプリケータ。
【請求項１５】
前記塗布部材が、前記アプリケータ先端部（２２）をより容易に屈曲させる凹部（２５）を有する、請求項１から１４のいずれか一項に記載の化粧品アプリケータ。
【請求項１６】
前記拘束要素が、前記塗布部材を保持するのを助けるための少なくとも１つのリブ（１００）を有する、請求項１から１５のいずれか一項に記載の化粧品アプリケータ。
【請求項１７】
前記拘束要素が、ガイド（４０）に、好ましくは製品を収容するリザーバを少なくとも部分的に画定する管状ガイド（４１）と一体に作製されているガイド（４０）に挿入される、請求項１から１６のいずれか一項に記載の化粧品アプリケータ。
【請求項１８】
化粧製品をパッケージ化し、塗布するための用具、好ましくは、アイライナーであって、
−  請求項１から１７のいずれか一項に記載の化粧品アプリケータ、
−  前記化粧品アプリケータを用いて塗布されることになる前記化粧製品を収容する容器
を有する、用具。
【請求項１９】
前記容器が、前記塗布部材（２０）を担持するペン本体（１１）によって形成される、請求項１８に記載の用具。
【請求項２０】
前記拘束要素が嵌合される前に、前記アプリケータ部品が延びる方向以外の方向に、前記アプリケータ部品を延ばすような方法で、前記拘束要素を用いて前記塗布部材を変形させるステップを含む、請求項１から１７のいずれか一項に記載の化粧品アプリケータを製作するための方法。
【発明の詳細な説明】
【技術分野】
【０００１】
本発明は、化粧製品をヒトのケラチン物質に塗布するためのアプリケータ、より詳細には、それに限定されないが、アイライナーアプリケータに関する。
【背景技術】
【０００２】
アイライナーアプリケータは、一般には、ステムの端部に固定される、またはペン本体によって担持される、フェルト先端部を備える。このフェルト先端部は、ほとんどの場合、ステムの、またはペン本体の、長手方向軸と一致する直線状の長手方向軸に沿って延びる。
【０００３】
しかしながら、この形状のアプリケータ先端部は、特にユーザが鏡の前で化粧を自ら施す場合、瞼に化粧を施すのに必ずしも満足のいくものとは限らず、アプリケータが視野の一部を遮る可能性があり、したがって、その手技をより扱いにくく、正確さを欠いたものとしている。
【０００４】
国際公開第２００６／０２２７２６号パンフレットには、アプリケータ部品が湾曲しているアイライナーアプリケータについて記載されている。
【先行技術文献】
【特許文献】
【０００５】
【特許文献１】国際公開第２００６／０２２７２６号パンフレット
【発明の概要】
【発明が解決しようとする課題】
【０００６】
アプリケータ先端部が、直線状の長手方向軸に沿って延びていないアプリケータの製作を容易にする必要性がある。
【課題を解決するための手段】
【０００７】
本発明は、化粧品アプリケータを用いてこの必要性に応え、この化粧品アプリケータは、支持体に固定された基部を有する塗布部材であって、この基部が、支持体の長手方向軸に沿って延びる、塗布部材と、基部に連結されたアプリケータ部品とを備え、このアプリケータは、塗布部材と少なくとも部分的に接触するように塗布部材に嵌合された拘束要素（ｃｏｎｓｔｒａｉｎｔ  ｅｌｅｍｅｎｔ）を備え、拘束要素は、アプリケータ部品が支持体の軸に対して少なくとも部分的に斜めに延びるような方法で、塗布部材を拘束する。
【０００８】
本発明により、拘束要素を使用して塗布部材に大なり小なりの拘束力を加えることによって、アプリケータ部品に所望の角度を与えることは比較的容易である。
【０００９】
塗布部材は、拘束要素の形状の選択を通じて、大なり小なりの程度で拘束され得、それは、対応する付随の拘束要素により、１つの同じ塗布部材が、いくつかの相異なるアプリケータを製作するのに使用され得ることを意味する。
【００１０】
拘束要素は、塗布部材だけによって担持され得る。代替として、拘束要素は、塗布部材の支持体に少なくとも部分的に固定される。拘束要素は、リザーバを形成する管状体と一体に作製され得る。
【００１１】
拘束要素は、ガイドによって保持され得る。ガイドは、塗布部材と接触しないようにすることができる。
【００１２】
ガイドは、リザーバを形成する管状体と一体に形成され得る。
【００１３】
したがって、ガイドは、屈曲形状を有することができ、製品リザーバを収容し、かつペン本体を画定することができる管状部品に非ゼロ角度を成して連結され得る。ガイドは、ペン本体と一体に作製され得る。
【００１４】
ガイドの形状は、拘束要素の非存在下で、つまり、拘束要素がガイドに嵌合される前に、すでにガイドが塗布部材を拘束して、塗布部材を湾曲させることになっているようなものとすることができる。
【００１５】
塗布部材は、たとえば、アプリケータ先端部の湾曲を容易にする環状溝の形態の凹部を有することができる。
【００１６】
拘束要素は、塗布部材を保持するのを助ける少なくとも１つのリブ、より好ましくは、いくつかのリブを有することができる。
【００１７】
塗布部材は、有利には、フェルト先端部である。
【００１８】
塗布部材は、拘束要素が嵌合される前に、直線状の長手方向軸を有することができる。
【００１９】
塗布部材はまた、拘束要素が嵌合される前に、回転対称性を伴わない形状、または代替として、回転対称性を伴う形状を有することができる。
【００２０】
回転対称性を伴わない形状は、塗布部材の変形をより容易にし得るが、ある角度における嵌合が必要な場合がある。
【００２１】
対照的に、回転対称性を伴う形状は、配向の確認なしに嵌合され得る。
【００２２】
拘束要素は、塗布部材に対して固定され得る。代替として、拘束要素は、塗布部材に対して移動できる。これは、アプリケータ部品の、その支持体に対する傾斜を変化させることを可能にすることができる。
【００２３】
次いで、塗布部材に対する拘束要素の移動は、拘束要素がアプリケータの一部を形成し、アプリケータ部品に２つの異なるそれぞれの配向を付与する、少なくとも２つの位置間で行われ得る。
【００２４】
拘束要素は、管状嵌合部品と、管状嵌合部品の軸に向かって延びる軸受要素とを備えることができる。
【００２５】
拘束要素は、熱可塑性材料から一体成形され得る。
【００２６】
アプリケータ部品の軸は、支持体の軸に対して１０から２０°の間の角度を成すことができる。
【００２７】
本発明のさらなる主題は、化粧製品をパッケージ化し、塗布するための用具、好ましくは、アイライナーであり、この用具は、
−  上に定義された本発明によるアプリケータ、
−  このアプリケータを用いて塗布されることになる製品を収容する容器
を備える。
【００２８】
容器は、塗布部材を担持するペン本体によって形成され得る。
【００２９】
本発明のさらなる主題は、本発明によるアプリケータを製作するための方法であり、この方法は、拘束要素が嵌合される前に、アプリケータ部品が延びる方向以外の方向に、アプリケータ部品を延ばすような方法で、拘束要素を用いて塗布部材を変形させるステップを含む。
【００３０】
本発明は、その非限定的な例示的実施形態の以下の詳細な説明を読み、添付の図面を検討することにより、より良く理解され得る。
【図面の簡単な説明】
【００３１】
【図１】本発明により製作されたアプリケータの概略斜視図である。
【図２】図１によるアプリケータの拘束要素をそれ自体で示し、２つの相異なる角度で見た図である。
【図３】図２による要素の軸断面である。
【図４】いかに図１によるアプリケータを使用して瞼に化粧を施すかを示す図である。
【図５】図１によるアプリケータの拘束要素をそれ自体で示し、２つの相異なる角度で見た図である。
【図６Ａ】拘束要素がアプリケータ部品に対して回転移動できる、アプリケータの代替の実施形態の概略的部品図である。
【図６Ｂ】拘束要素がアプリケータ部品に対して回転移動できる、アプリケータの代替の実施形態の概略的部品図である。
【図７Ａ】拘束要素が塗布部材に対して軸方向に移動できる、図６Ａおよび図６Ｂと同様の図である。
【図７Ｂ】拘束要素が塗布部材に対して軸方向に移動できる、図６Ａおよび図６Ｂと同様の図である。
【図８】アプリケータの代替の実施形態による部分的な長手方向断面図である。
【図９】アプリケータの代替の実施形態による部分的な長手方向断面図である。
【発明を実施するための形態】
【００３２】
図１に示されているアプリケータ１０は、把持部材として働くペン本体１１を備え、このペン本体１１には、ペン本体に固定された基部２１と、基部２１に連結されたアプリケータ部品２２とを備える塗布部材２０が装着される。
【００３３】
問題の例においては、塗布部材２０は、フェルト先端部であり、基部２１は、アプリケータ部品２２に一体に接合されている。
【００３４】
フェルト先端部には、毛管作用によってアプリケータ部品２２のところまで製品を運ぶ塗布部材２０の繊維の能力により、製品が、容器を形成する本体１１の内部から供給される。
【００３５】
使用されていないとき、ペン本体１１は、たとえば、ペン本体１１の端部領域１２において起伏部１３上へのスナップ嵌めにより係合するクロージャキャップ（図示せず）によって閉めることができる。
【００３６】
示されている例においては、基部２１は、本体１１の長手方向軸と一致する長手方向軸Ｘに沿って延びる。
【００３７】
本発明によれば、拘束要素３０は、アプリケータ部品２２が、軸Ｘに対して角度αを成す方向Ｙに延びるように、塗布部材２０を拘束し、この角度αは、有利には、１から６０°の間、より好ましくは、１０から３０°の間、たとえば、約２０°である。
【００３８】
図２および図３を参照すると、拘束要素３０は、たとえば、要素３０が塗布部材２０上の定位置にあるとき、軸Ｘと一致する軸Ｚ周りに回転の円筒形状を有する管状嵌合部品３１を有することが分かるであろう。
【００３９】
本体３１には、軸Ｚに対して角度βを成す軸Ｗの方向に延びる遠位方向に軸受要素３４が続いている。軸受要素３４は、たとえば、２から１０°の間の角度範囲のセクタにわたって軸Ｗ周りに円筒状に延びる。
【００４０】
拘束要素３０が塗布部材２０上の定位置にあるとき、軸受要素３４は、その内面が塗布部材２０を拘束することになり、それにより、アプリケータ部品は、強制的に傾斜される。
【００４１】
拘束要素３０は、摩擦によって、塗布部材２０上の定位置にとどまることができる。
【００４２】
アプリケータを製作するために、問題の例においては、拘束要素３０は、塗布部材２０における力と係合し、この係合は、拘束要素３０が嵌合される前に、塗布部材２０の長手方向軸と一致する本体２１の軸に沿って行われる。
【００４３】
たとえば、拘束要素３０は、本体１１の端部に当接するようになるまで挿入される。
【００４４】
問題の例においては、付随の要素３０は、目に見えるその変形なしに嵌合され、塗布部材２０しか変形しない。
【００４５】
アプリケータ１０を使用するために、ユーザは、図４に示されているように、塗布部材２０、特にはその先端部を皮膚に接触させるようにする。
【００４６】
本体１１の長手方向軸Ｘと、アプリケータ部品２２の軸Ｙとの間の非ゼロ角度αにより、瞼に対する視界がはっきりとし、人が鏡を見ながら、より容易に化粧を施すことが可能になる。
【００４７】
図１から図５の例においては、拘束要素３０は、ユーザによって塗布部材２０に対して動かされるようには意図されていないので、塗布部材２０に恒久的に固定される。
【００４８】
好ましくは、拘束要素３０は、アプリケータ１０がパッケージ化される前に、塗布部材２０に嵌合されて、それにより、ユーザは、拘束要素３０の塗布部材２０への嵌合について悩む必要がなくなる。
【００４９】
代替として、ユーザは、塗布部材２０に拘束要素３０を嵌合すべきであるか否かを選択することができる。これにより、ユーザは、拘束要素３０がなく、アプリケータ部品２２が容器の長手方向軸に配向された状態で、塗布部材２０を使用する可能性が得られる。
【００５０】
適宜、塗布部材２０は、塗布部材２０に損傷をもたらすことなく、拘束要素３０の嵌合の可逆性を可能にする形状により製作され得る。
【００５１】
代替として、付随の要素３０は、その要素３０がユーザによって容易には取り外しできないような方法で、たとえば、塗布部材２０に係留され、拘束要素３０を取り外すのをより難しくさせる１つまたは複数の歯を備えることによって嵌合される。これらの歯は、塗布部材２０への要素３０の挿入を妨げないように、かつ逆の動きに対抗するように傾斜される。
【００５２】
拘束要素３０はまた、塗布部材２０が、相異なる程度に拘束される少なくとも２つの構成間で移動できるような方法で塗布部材２０に対して嵌合され得る。
【００５３】
たとえば、図６Ａおよび図６Ｂに示されているように、要素３０は、塗布部材２０周りに回転自在に嵌合されて、２つの構成を採用できる。図６Ａに示されている第１の構成においては、拘束要素３０は、塗布部材２０を拘束しておらず、塗布部材２０は、たとえば、アプリケータ部品２２を本体１１の長手方向軸Ｘに対して平行な方向になるように延びる。
【００５４】
第１の構成における軸受要素３４は、アプリケータ部品２２において支承しない、または有意には支承しない。第２の構成においては、基部２１の軸Ｘ周りに回転した後、軸受要素３４は、より強くアプリケータ部品２２を拘束することになり、図６Ｂに示されているように、アプリケータ部品２２を、軸Ｘに対して角度αを成す方向Ｙに優位に屈曲させ、それ自体を配向させる。
【００５５】
この目的のため、塗布部材２０は、その長手方向軸周りに回転対称性を伴わない形状を有し、それにより、軸受要素３４が、図６Ａの構成においては、塗布部材２０の凹部２５に係合し、図６Ｂ構成においては、凹部２５の反対側でアプリケータ部品２２に支承することが可能になることが分かるであろう。
【００５６】
図６Ａはまた、拘束要素３０が、軸方向に動かずに本体１１に対して回転できるように、本体１１に嵌合される可能性を示している。たとえば、端部領域１２において、ペン本体１１は、管状スカート３８がスナップ嵌めされる環状溝１７を有する。
【００５７】
図７Ａおよび図７Ｂにおける変形形態においては、付随の要素３０は、塗布部材２０において、支持体の軸に沿って軸方向に移動できる。
【００５８】
図７Ａの構成においては、軸受要素３４は、要素３０が本体１１のより近くに動いている図７Ｂの構成よりも少ない程度にアプリケータ部品２２を拘束する。アプリケータ部品２２の屈曲を容易にするために、塗布部材２０は、たとえば、示されているように、基部とアプリケータ部品との間に狭窄した横断面２９を含んで作製され得る。
【００５９】
図８は、付随の要素３０に挿入するよりも前に、回転対称の形状を有する塗布部材２０を製作する可能性を示している。
【００６０】
図９においては、拘束要素３０は、ガイド４０によって担持され、このガイド４０は、たとえば、製品を収容するリザーバを少なくとも部分的に画定する管状スカート４１と一体に製作されている。ガイド４０は、示されているように、拘束要素３０が直線状の軸および回転対称性を伴うことが可能であるように屈曲され得る。拘束要素３０を介して、塗布部材２０を湾曲させるのは、ガイド４０である。組立中、拘束要素３０は、塗布部材２０が、すでに定位置にある場合、ガイド４０の中に挿入され得る。拘束要素３０が嵌合される前に、すでに塗布部材２０は、ガイド４０によって強制的に湾曲され得る。
【００６１】
言うまでもなく、本発明は、説明したばかりの諸例に限定するものではない。具体的には、本発明は、フェルト先端部以外の塗布部材、たとえば、発泡体から作製された、もしくはフロック加工されたコアを有する細いブラシまたはアプリケータ端部片に適用され得る。
【００６２】
本発明はまた、熱可塑性射出成形によって製作されたマスカラブラシなどの塗布部材にも適用され得る。
【００６３】
拘束要素３０は、純粋に軸方向の動き、または純粋に回転性の動き以外の動きで、たとえば、塗布部材２０または塗布部材２０の支持体上にねじ込まれる、たとえば、らせん状の動きで、塗布部材２０に対して移動でき得る。
【００６４】
適宜、拘束要素の動きは、プッシュボタンまたはスライドなどの制御部材に対するユーザの動作によって制御される。
【００６５】
付随の要素３０は、好ましくは、上述したように、変形することなく定位置に置かれる。
【００６６】
代替として、付随の要素３０は、塗布部材において組み立てられた部品、たとえば、スナップ嵌め動作によって互いに固定され、任意選択で、ヒンジフィルムによって連結され、かつ塗布部材をクランプ締めし、アプリケータ部品を傾斜させることによって塗布部材を拘束する２つの部品から構成されている。
【００６７】
示されていない代替形態においては、凹部２５は、塗布部材の変形前の、つまり、その長手方向軸が直線状である場合の半円形横断面の環状溝の形態にある。
【００６８】
先端部２２は、頂点において１０から２０°の間の角度、具体的には、１５°に等しい角度の、特には半径０．１ｍｍ丸い端部を有する円錐形を有することができる。
【００６９】
拘束要素には、塗布部材と協働して、それを定位置に保持するのを助ける少なくとも１つのリブが備えられ得る。そのようなリブ１００は、図３の破線によって概略的に示されている
【００７０】
「〜を備える、含む（ｃｏｍｐｒｉｓｉｎｇ  ａ）」という表現は、「少なくとも１つを備える、含む（ｃｏｍｐｒｉｓｉｎｇ  ａｔ  ｌｅａｓｔ  ｏｎｅ）」と同義として理解すべきである。
【符号の説明】
【００７１】
１０  アプリケータ
１１  ペン本体
１２  端部領域
１３  起伏部
２０  塗布部材
２１  基部、本体
２２  アプリケータ部品、先端部
２５  凹部
２９  横断面
３０  拘束要素
３１  管状嵌合部品、本体
３４  軸受要素
３８  管状スカート
４０  ガイド
４１  管状スカート、管状ガイド
１００  リブ
Ｗ  軸
Ｘ  長手方向軸
Ｙ  方向、軸
Ｚ  軸
α  角度
β  角度
【図１】
2018501009.tif 000003
【図２】
2018501009.tif 000004
【図３】
2018501009.tif 000005
【図４】
2018501009.tif 000006
【図５】
2018501009.tif 000007
【図６Ａ】
2018501009.tif 000008
【図６Ｂ】
2018501009.tif 000009
【図７Ａ】
2018501009.tif 000010
【図７Ｂ】
2018501009.tif 000011
【図８】
2018501009.tif 000012
【図９】
2018501009.tif 000013
【国際調査報告】
2018501009.tif 000014
2018501009.tif 000015